(57)【要約】【課題】可搬式梯子を昇降対象物に設置する際に障害物の存在によって梯子を安定して掛止できない場合に有効な梯子の掛止補助金具を提供する。【解決手段】昇降対象物に設けた梯子掛止部材１０２ａに対して着脱自在に掛止される少なくとも２つのフック１１６ａ、１１６ｂを所定の横方向間隔を隔てて備えた梯子１１０を、各フックにより梯子掛止部材に掛止する際に用いる掛止補助金具１であって、一方のフックを梯子掛止部材に掛止した時に他方のバーを該梯子掛止部材に掛止できない状態にある時に梯子掛止部材に対して着脱固定される固定部２と、該固定部に設けられて該他方のフックを掛止可能とする延長バー２０と、を備える。【選択図】図２
2020012293.tif 000002
【特許請求の範囲】
【請求項１】
昇降対象物に設けた梯子掛止部材に対して着脱自在に掛止される少なくとも２つのフックを所定の横方向間隔を隔てて備えた梯子を、前記各フックにより前記梯子掛止部材に掛止する際に用いる掛止補助金具であって、
一方の前記フックを前記梯子掛止部材に掛止した時に他方の前記フックを該梯子掛止部材に掛止できない状態にある時に前記梯子掛止部材に対して着脱自在に固定される固定部と、該固定部に設けられて前記他方のフックを掛止可能とする延長バーと、を備えていることを特徴とする梯子の掛止補助金具。
【請求項２】
前記延長バーは、前記固定部からの突出長を調整可能であることを特徴とする請求項１に記載の梯子の掛止補助金具。
【請求項３】
前記延長バーは、前記固定部に対して着脱交換可能であることを特徴とする請求項１に記載の梯子の掛止補助金具。
【発明の詳細な説明】
【技術分野】
【０００１】
本発明は可搬式梯子を昇降対象物に対して常に安定して掛止することを可能にする梯子の掛止補助金具に関する。
【背景技術】
【０００２】
マンホールは、地下の下水道・暗渠・埋設された電気・通信ケーブルなどの管理（点検・修理・清掃・排気など）を目的として作業員が地上から出入りできるように地面、床面等にあけられた縦孔である。
マンホール内に昇降用の梯子を固定配置しない場合にはマンホールの地表開口部内に予め梯子掛止用の横バーを固定配置しておき、可搬式の梯子の二本の縦木の先端等に夫々設けたフックを横バーに掛止することにより梯子を安定して設置（吊り下げ）できるようにしている。
しかし、マンホール内の梯子の設置場所付近に配線、配管等の障害物が存在していることにより、一方のフックのみしか横バーに掛止できず梯子が設置不能となる場合がある。即ち、図６はマンホール内に障害物があることにより梯子を設置できない状態を示した説明図である。マンホール１００の開口内周縁にはコ字状の梯子掛止用の掛止部材１０２が固定されている一方で、掛止部材１０２の直下にはケーブルを内包した防護管１０４が配置されている。梯子１１０は、２つの支柱１１２ａ、１１２ｂの各先端部に２つのフック１１６ａ、１１６ｂを備えており、掛止部材１０２の横バー１０２ａに両フックを同時に掛止することにより初めて梯子を安定して設置することができる。しかし、この例では、防護管１０４が障害となって梯子１１０は本来の設置位置よりも横方向に大きくずらして設置せざるを得ず、この場合には一方のフック１１６ａのみが横バー１０２ａに掛止可能となり、他方のフック１１６ｂは掛止できない。従って、梯子の設置自体が不可能となり、マンホールへの出入りができなくなる。仮に一方のフック１１６ａのみを横バーに掛止した状態で梯子を設置して無理に昇降しようとすると、梯子がマンホール内でアンバランスな状態となり安全な昇降が不可能となる。
【０００３】
特許文献１、及び特許文献２には、梯子を構成する二本の支柱に沿ってフックを移動させることによりフックの位置を可変にした梯子が開示されている。
しかし、これらの特許文献には、マンホール内の障害物の存在により横バーに対して２つのフックを同時に掛止できなくなるという課題と、その課題を解消するための対策、対処方法は開示されていない。
【先行技術文献】
【特許文献】
【０００４】
【特許文献１】特開平７−２６８６３号公報
【特許文献２】特開平７−２１７３４８号公報
【発明の概要】
【発明が解決しようとする課題】
【０００５】
本発明は上記に鑑みてなされたものであり、可搬式梯子を昇降対象物に設置する際に障害物の存在によって梯子を安定して掛止できない場合に有効な梯子の掛止補助金具に関する。
【課題を解決するための手段】
【０００６】
上記目的を達成するため、本発明に係る梯子の掛止補助金具は、昇降対象物に設けた梯子掛止部材に対して着脱自在に掛止される少なくとも２つのフックを所定の横方向間隔を隔てて備えた梯子を、前記各フックにより前記梯子掛止部材に掛止する際に用いる掛止補助金具であって、一方のフックを前記梯子掛止部材に掛止した時に他方のフックを該梯子掛止部材に掛止できない状態にある時に前記梯子掛止部材に対して着脱自在に固定される固定部と、該固定部に設けられて該他方のフックを掛止可能とする延長バーと、を備えていることを特徴とする。
【発明の効果】
【０００７】
本発明によれば、可搬式梯子を昇降対象物に設置する際に障害物の存在によって梯子を安定して掛止できない場合であっても、梯子を確実に安定した状態にて掛止することができる。
【図面の簡単な説明】
【０００８】
【図１】本発明の第１実施形態に係る梯子の掛止補助金具の構成を示す斜視図である。
【図２】本発明に係る掛止補助金具をマンホールに設けた梯子掛止部材に固定した状態を示した斜視図である。
【図３】（ａ）及び（ｂ）は梯子掛止部材に掛止補助金具を取り付けた状態を示す平面斜視図、及びフックを掛止した状態を示す平面斜視図である。
【図４】（ａ）及び（ｂ）は梯子掛止部材に掛止補助金具を取り付けた状態を示す底部側斜視図である。
【図５】本発明の他の実施形態に係る梯子の掛止補助金具の構成を示す斜視図である。
【図６】マンホール内に障害物があることにより梯子を設置できない状態を示した説明図である。
【発明を実施するための形態】
【０００９】
以下、本発明を図面に示した実施の形態により詳細に説明する。
＜第１実施形態＞
図１は本発明の第１実施形態に係る梯子の掛止補助金具（以下、掛止補助金具という）の構成を示す斜視図であり、図２は本発明に係る掛止補助金具をマンホールに設けた梯子掛止部材に固定した状態を示した斜視図であり、図３（ａ）及び（ｂ）は梯子掛止部材に掛止補助金具を取り付けた状態を示す平面斜視図、及びフックを掛止した状態を示す平面斜視図であり、図４（ａ）及び（ｂ）は梯子掛止部材に掛止補助金具を取り付けた状態を示す底部側斜視図である。
【００１０】
図２に示すように、マンホール１００の開口内周縁にはコ字状の梯子掛止用の掛止部材１０２が固定されている一方で、掛止部材１０２の直下にはケーブルを内包した防護管１０４が配置されている。梯子１１０は、二本の並行な支柱１１２ａ、１１２ｂ間に、所定の上下間隔で足場となる横木１１４を配置すると共に、各支柱の上端部にフック１１６ａ、１１６ｂを備えている。掛止部材１０２の横バー１０２ａに両フックを同時に掛止することにより梯子を安定して設置することができる。
しかし、本例では、防護管１０４が障害となって梯子１１０を垂直な姿勢を維持しつつ掛止部材１０２の下方に設置することができない。そのため、二本のフックの一方１１６ａのみを横バー１０２ａに掛止できるが、他のフック１１６ｂは横バー１０２ａに掛止することができずに、横バーの終端部の更に横方向に位置することとなる。
【００１１】
本発明では、掛止補助金具１を掛止部材１０２に固定して延長バー２０が横バー１０２ａの延長線上に突出するように構成することにより、横バーに掛止できない状態にあったフック１１６ｂを延長バー２０により掛止できるようにしている。
掛止補助金具１は、掛止部材１０２に対して着脱自在に固定される固定部２と、固定部に固定、或いは着脱自在に取付けられた延長バー２０と、固定部２を掛止部材１０２に対して着脱自在に固定する着脱具としてのボルト９、ナット１０と、から概略構成されている。
【００１２】
固定部２は、長方形状の板金を端面形状がコ字状となるように屈曲させた固定部本体４と、固定部本体の対向する２つの側板６、７に夫々貫通形成した穴６ａ、７ａと、各穴６ａ、７ａに挿通されるボルト９、９と、ボルトを各側板６、７に締結させるナット１０、１０等を備えている。
固定部本体４の中空内部の形状は横バー１０２ａの一端部と密着してガタ付きなく嵌合させるように設定されている。穴６ａ、６ａ間、穴７ａ、７ａの間隔Ｌは、図示のように横バー１０２ａの一端から屈曲した棒状の基部１０２ｂを受け入れるように設定する。
図示のように各穴間の間隔Ｌ内に基部１０２ｂを位置させつつ横バー１０２ａを固定部本体４内に嵌合させた状態で、各穴６ａ、７ａにボルト９を差し込んでナット１０で締結することにより固定部材が掛止部材１０２に対して固定完了する。
【００１３】
本例の延長バー２０は、フックを掛止するのに適した充分な強度と直径を有した棒状体であり、固定部本体の長手方向他端開口内に一端を差し込んだ状態で溶接により固定されている。延長バー２０の他端２０ａは図示のように固定部本体から突出しており、固定部本体を横バーの一端部に固定した際に、延長バーが横バー１０２ａの延長上（略同一軸線上）に位置するように構成されている。この延長バーの突出部分２０ａにフック１１６ｂが掛止される。
即ち、本発明の掛止補助金具１は、昇降対象物としてのマンホールに設けた横バー（掛止バー）１０２ａに対して着脱自在に掛止される少なくとも２つのフック１１６ａ、１１６ｂを所定の横方向間隔を隔てて備えた梯子１１０を、各フックを用いて横バーに掛止する際に、障害物の存在によって一方のフック１１６ａのみしか横バーに掛止できない場合に、他方のフック１１６ｂを横バーと同じ高さレベルに掛止させて梯子の設置状態を安定させるための手段である。
【００１４】
なお、本実施形態では障害物の存在により左側のフック１１６ａのみが横バーに掛止でき、右側のフック１１６ｂが横バーに掛止できない場合を説明したが、これとは逆に右側のフック１１６ｂのみが横バーに掛止でき、左側のフック１１６ａが横バーに掛止できない場合にも同様の掛止補助金具によるフック１１６ｂの掛止が可能なことは言うまでもない。この場合には、掛止補助金具１を掛止部材１０２の左側の端部に固定して延長バーを左側に突出させればよい。
【００１５】
＜第２実施形態＞
次に、図５は本発明の他の実施形態に係る梯子の掛止補助金具の構成を示す斜視図であり、図１と同一部分には同一符号を付して説明する。
この実施形態に係る掛止補助金具１が図１の実施形態と異なる点は、延長バー２０が固定部本体４に対する軸方向位置を変更させて固定部本体からの突出長を変更できるようにした点にある。
即ち、本例に係る掛止補助金具１では、延長バー２０は固定部本体４に対して固定されておらず、固定部本体内壁の適所（本例では３箇所）に設けたガイド突条４ａにより、延長バーの一端部外周面に設けた溝２０ｂを抜け落ち不能に軸方向へガイドすることにより、軸方向へスライド可能となっている。延長バーの突出長が一定であると、現場によっては掛止部材１０２の端部とマンホールの内壁との間の距離が短すぎて掛止補助金具を設置できないことも有り得るが、本実施形態では固定部本体からの延長バーの突出長を適宜調整できるので、掛止部材１０２の端部とマンホールの内壁との間の距離に併せつつ掛止補助金具を設置することが可能となる。
【００１６】
なお、ガイド突条や溝を設けることなく、延長バー２０が固定部本体の内面と接する部分を平坦面にしておくことにより両者を面接触させることが可能となり、延長バーと固定部本体とをボルト、ナットで強固に締結することが可能となる。或いは、延長バーと固定部本体との接触部をローレット加工等の粗面加工を施して位置ズレ、滑りが発生しないようにしてもよい。
或いは、図５において軸方向長さの異なる延長バーを複数本用意しておき、現場の状況に応じて固定部本体４に対して最適長さを有した延長バーを装着して使用するようにしてもよい。
【００１７】
ガイド突条４ａに沿って固定部本体内に差し込まれた延長バーはボルト、ナットにより固定部本体の側板６、７を締め付けることにより脱落や位置ズレすることなく確実に固定することが可能となる。
なお、固定部本体に対する延長バーの着脱のための構造は図示したものに限らず、他にも種々の態様を採用することができる。
また、本発明の掛止補助金具は、マンホール以外の昇降対象物、例えば縦穴、建造物の外壁等々に設置される梯子用の掛止部材にも適用することができる。
【００１８】
＜発明の構成、作用、効果のまとめ＞
第１の本発明に係る梯子の掛止補助金具１は、昇降対象物１００に設けた梯子掛止部材１０２ａに対して着脱自在に掛止される少なくとも２つのフック１１６ａ、１１６ｂを所定の横方向間隔を隔てて備えた梯子１１０を、各フックにより梯子掛止部材に掛止する際に用いる手段であり、一方のフック１１６ａを梯子掛止部材に掛止した時に他方のフック１１６ｂを該梯子掛止部材に掛止できない状態にある時に梯子掛止部材に対して着脱自在に固定される固定部２と、該固定部に設けられて該他方のフックを掛止可能とする延長バー２０と、を備えていることを特徴とする。
マンホールのような狭い縦穴内に作業員等が出入りするための梯子が常備されておらず、出入りする際には可搬式の梯子のフックをマンホール開口部に設けた梯子掛止部材に掛止するように構成されている場合、梯子の本来の設置位置に障害物があると梯子を設置できなかった。本発明では、ボルト等により簡易に固定できる固定部に対して延長バーを取り付けるだけの簡単な加工により、梯子掛止部材の横バーの長さの不足分を補うことができる。つまり、簡易な構造、軽量で、着脱操作性に優れ、フックの掛止安定性に優れた掛止補助金具を提案することができる。
【００１９】
第２の本発明に係る梯子の掛止補助金具では、延長バー２０は、固定部２からの突出長を調整可能であることを特徴とする。
掛止補助金具１を梯子掛止部材１０２に固定する際に、固定部からの延長バーの突出長が一定であると、延長バーがマンホール内壁やその他の障害物に邪魔されて固定できなくなる場合が想定される。そこで、固定部に対する延長バーの突出長を調整可能にすることにより現場の種々の状況に対応しつつ掛止補助金具を適切に固定することが可能となる。
【００２０】
第３の本発明に係る掛止補助金具では、延長バー２０は、固定部２に対して着脱交換可能であることを特徴とする。
長さの異なる延長バーを複数種類準備しておき、現場の状況に応じて最適な長さを有する延長バーを固定部に固定できるようにすれば、固定部に対する延長バーの突出長が調整可能となり、現場の種々の状況に対応しつつ掛止補助金具を適切に固定することが可能となる。
【符号の説明】
【００２１】
１…掛止補助金具、２…固定部、４…固定部本体、４ａ…ガイド突条、６、７…側板、６ａ、７ａ…穴、９…ボルト、１０…ナット、２０…延長バー、２０ａ…他端（突出部分）、２０ｂ…溝、１００…マンホール、１０２…掛止部材、１０２ａ…横バー、１０２ｂ…基部、１０４…防護管、１１０…梯子、１１２ａ…支柱、１１４…横木、１１６ａ、１１６ｂ…フック。
【図１】
2020012293.tif 000003
【図２】
2020012293.tif 000004
【図３】
2020012293.tif 000005
【図４】
2020012293.tif 000006
【図５】
2020012293.tif 000007
【図６】
2020012293.tif 000008